(57)【要約】【課題】外部電源と二次電池との間に接続されるスイッチ（例えば、ＭＯＳトランジスタ）の故障を検出可能とすること。【解決手段】ワイヤレススピーカー１は、ＡＣアダプターとバッテリー８との間に接続された、ＭＯＳトランジスタＱ１、Ｑ２と、ＭＯＳトランジスタＱ１、Ｑ２のオン、又は、オフを制御する充電制御ＩＣ９と、ＡＣアダプターからの電圧が入力されるＡ／Ｄポートを有し、充電制御ＩＣ９が、ＭＯＳトランジスタＱ１、Ｑ２をオンとしたときに、Ａ／Ｄポートに入力される電圧が１４．７Ｖよりも小さい場合、ＭＯＳトランジスタＱ１が故障していると判断するマイクロコンピューター２と、を備える。【選択図】図２
2018064350.tif 000002
【特許請求の範囲】
【請求項１】
外部電源と二次電池との間に接続された、第１スイッチ、及び、第２スイッチと、
前記第１スイッチ、及び、前記第２スイッチのオン、又は、オフを制御する充電制御部と、
前記外部電源からの電圧が入力されるポートを有し、前記充電制御部が、前記第１スイッチ、及び、前記第２スイッチをオンとしたときに、前記ポートに入力される電圧が所定の第１閾値よりも小さい場合、前記第１スイッチが故障していると判断する制御部と、
を備えることを特徴とする電子機器。
【請求項２】
前記制御部の前記ポートには、前記二次電池からの電圧も入力され、
前記制御部は、自機器が前記外部電源に接続されていない場合、前記二次電池から入力される電圧の電位に基づいて、前記二次電池の残量を検出することを特徴とする請求項１に記載の電子機器。
【請求項３】
前記制御部の前記ポートには、分圧回路により分圧された前記外部電源、及び、前記二次電池からの電圧が入力されることを特徴とする請求項２に記載の電子機器。
【請求項４】
前記分圧回路の有効、又は、無効を制御する制御回路をさらに備え、
前記制御部は、スタンバイ状態で、前記制御回路により、前記分圧回路を無効とすることを特徴とする請求項３に記載の電子機器。
【請求項５】
前記制御回路は、
ベースが、前記制御部に接続され、
エミッタが、グラウンドに接続され、
コレクタが、抵抗を介して、前記外部電源に接続された、ｎｐｎ型のバイポーラトランジスタと、
ゲートが、前記バイポーラトランジスのコレクタに接続され、
ソースが、前記外部電源に接続され、
ドレインが、前記分圧回路に接続された、ｐチャンネルのＭＯＳＦＥＴと、を有することを特徴とする請求項４に記載の電子機器。
【請求項６】
報知部をさらに備え、
前記制御部は、前記第１スイッチが故障していると判断した場合、前記報知部により、前記第１スイッチが故障している旨を報知することを特徴とする請求項１〜５のいずれか１項に記載の電子機器。
【請求項７】
前記報知部は、表示部であり、
前記制御部は、前記第１スイッチが故障していると判断した場合、前記表示部により、前記第１スイッチが故障している旨を表示することを特徴とする請求項６に記載の電子機器。
【請求項８】
操作を受け付けるための操作部をさらに備え、
前記制御部は、
前記操作部を介して、故障診断モードの指示を受け付け、
前記操作部を介して、前記故障診断モードの指示を受け付けた場合、前記第１スイッチが故障しているか否かを判断することを特徴とする請求項１〜７のいずれか１項に記載の電子機器。
【請求項９】
前記制御部は、前記故障診断モードの指示を受け付けていないときに、前記ポートに入力される電圧が、所定の第２閾値よりも小さい場合、自機器が前記外部電源に接続されていないと判断することを特徴とする請求項８に記載の電子機器。
【請求項１０】
前記制御部は、スタンバイ状態から電源がオンの状態になった場合に、前記制御回路により、前記分圧回路を有効とし、前記第１スイッチが故障しているか否かを判断することを特徴とする請求項４又は５に記載の電子機器。
【請求項１１】
前記第１スイッチ、及び、前記第２スイッチは、それぞれ、ＭＯＳＦＥＴであることを特徴とする請求項１〜１０のいずれか１項に記載の電子機器。
【発明の詳細な説明】
【技術分野】
【０００１】
本発明は、二次電池が用いられる電子機器に関する。
【背景技術】
【０００２】
リチウムイオン二次電池（以下、「バッテリー」という。）が用いられる電子機器には、バッテリーの充放電を制御する充電回路が搭載されている。バッテリーは、外部給電機器（例えば、ＡＣアダプター、ＵＳＢバスパワー等）により充電される。充電回路には、専用の充電制御ＩＣが用いられることが多い（例えば、特許文献１参照。）。充電制御ＩＣは、以下のような機能を有する。
・バッテリーの特性に即した定電流・定電圧充電制御
・外部給電機器とバッテリーのパワーパス自動切り替え
・安全保護
過充電防止（Over Charge Protection）
過放電防止（Over Discharge Protection）
過電流防止（Over Current Protection）
充電用電源良否判定（Under Voltage Lockout，Over Voltage Lockout）
加熱保護・充電不可周囲温度検出（Over Temp）
【０００３】
図７は、充電制御ＩＣ、及び、その周辺回路を示す図である。ＭＯＳトランジスタ（ＭＯＳＦＥＴ）Ｑ１０１は、ＡＣＦＥＴと呼ばれている。ＭＯＳトランジスタＱ１０１は、ＡＣアダプターがＡＣコンセントに刺されていない状態において、ＡＣアダプターからバッテリーを分離する。ＭＯＳトランジスタＱ１０２は、ＲＢＦＥＴ（Reverse Blocking FET）と呼ばれている。ＭＯＳトランジスタＱ１０１のみでは、寄生ダイオードによる逆流を阻止できない。このため、ＭＯＳトランジスタＱ１０２をＭＯＳトランジスタＱ１０１と背中合わせ（Back to Back）に接続することで、バッテリーからＡＣアダプターへの逆放電を防止している。充電制御ＩＣ１０１は、ＭＯＳトランジスタＱ１０１、Ｑ１０２を制御する。例えば、ＭＯＳトランジスタＱ１０１、Ｑ１０２は、バッテリーパック内部の保護基板に配置される。充電制御ＩＣ１０１は、バッテリーの過放電、過充電を検出した場合、ＭＯＳトランジスタＱ１０１、Ｑ１０２のオン／オフを個別にコントロールする。
【先行技術文献】
【特許文献】
【０００４】
【特許文献１】特開２０１２−００５２０９号公報
【発明の概要】
【発明が解決しようとする課題】
【０００５】
ここで、ＥＳＤサージ等の外的要因により、ＭＯＳトランジスタＱ１０１が故障するという問題がある。そうすると、ＭＯＳトランジスタＱ１０１、Ｑ１０２をオンするためのドライブ電圧が規定値に届かず、ＭＯＳトランジスタＱ１０１が正常にオンしない。例えば、正常時のドライブ電圧は、約２０Ｖであるが、故障発生時のドライブ電圧は、約１５．５Ｖである。ＭＯＳトランジスタＱ１０１が中途半端にオンしてしまうことで、ソース−ドレイン間に電位差が生じ、ＭＯＳトランジスタＱ１０１内部損失が増大し、発熱する。充電制御ＩＣ１０１内部の保護回路は、これを検出することができず、電子機器が通常動作を継続してしまう。電圧がＡＣアダプターの電圧異常検出閾値まで落ちないため、充電制御ＩＣ１０１内部の保護回路は、異常を検出できない。なお、ドライブ電圧は、外部給電機器の電圧、バッテリーの種類、セル数等に依存するため、製品構成により変動する。
【０００６】
本発明の目的は、外部電源と二次電池との間に接続されるスイッチ（例えば、ＭＯＳトランジスタ）の故障を検出可能とすることである。
【課題を解決するための手段】
【０００７】
第１の発明の電子機器は、外部電源と二次電池との間に接続された、第１スイッチ、及び、第２スイッチと、前記第１スイッチ、及び、前記第２スイッチのオン、又は、オフを制御する充電制御部と、前記外部電源からの電圧が入力されるポートを有し、前記充電制御部が、前記第１スイッチ、及び、前記第２スイッチをオンとしたときに、前記ポートに入力される電圧が所定の第１閾値よりも小さい場合、前記第１スイッチが故障していると判断する制御部と、を備えることを特徴とする。
【０００８】
第１スイッチが故障している場合、第１スイッチが中途半端にオンし、制御部のポートに入力される電圧が所定の第１閾値よりも小さくなる。本発明では、制御部は、充電制御部が、第１スイッチ、及び、第２スイッチをオンとしたときに、ポートに入力される電圧が所定の第１閾値よりも小さい場合、第１スイッチが故障していると判断する。これにより、外部電源と二次電池との間に接続されたスイッチの故障を検出することができる。
【０００９】
第２の発明の電子機器は、第１の発明の電子機器において、前記制御部の前記ポートには、前記二次電池からの電圧も入力され、前記制御部は、自機器が前記外部電源に接続されていない場合、前記二次電池から入力される電圧の電位に基づいて、前記二次電池の残量を検出することを特徴とする。
【００１０】
本発明では、制御部は、自機器が外部電源に接続されていない場合、二次電池から入力される電圧の電位に基づいて、二次電池の残量を検出する。これにより、第１スイッチの故障検出と、二次電池の残量検出と、を同じ構成で実現することができる。
【００１１】
第３の発明の電子機器は、第２の発明の電子機器において、前記制御部の前記ポートには、分圧回路により分圧された前記外部電源、及び、前記二次電池からの電圧が入力されることを特徴とする。
【００１２】
本発明では、制御部のポートには、分圧回路により分圧された外部電源、及び、二次電池からの電圧が入力される。これにより、外部電源、及び、二次電池からの電圧が、制御部が扱えない大きさであっても、制御部は、残量検出等を行うことができる。
【００１３】
第４の発明の電子機器は、第３の発明の電子機器において、前記分圧回路の有効、又は、無効を制御する制御回路をさらに備え、前記制御部は、スタンバイ状態で、前記制御回路により、前記分圧回路を無効とすることを特徴とする。
【００１４】
本発明では、制御部は、スタンバイ状態で、制御回路により、分圧回路を無効とする。これにより、スタンバイ時の二次電池負荷電流を低減させることができるため、長期保管される場合の負荷電流が抑えられ、二次電池の過放電を防止することができる。
【００１５】
第５の発明の電子機器は、第４の発明の電子機器において、前記制御回路は、ベースが、前記制御部に接続され、エミッタが、グラウンドに接続され、コレクタが、抵抗を介して、前記外部電源に接続された、ｎｐｎ型のバイポーラトランジスタと、ゲートが、前記バイポーラトランジスのコレクタに接続され、ソースが、前記外部電源に接続され、ドレインが、前記分圧回路に接続された、ｐチャンネルのＭＯＳＦＥＴと、を有することを特徴とする。
【００１６】
第６の発明の電子機器は、第１〜第５のいずれかの発明の電子機器において、報知部をさらに備え、前記制御部は、前記第１スイッチが故障していると判断した場合、前記報知部により、前記第１スイッチが故障している旨を報知することを特徴とする。
【００１７】
本発明では、制御部は、第１スイッチが故障していると判断した場合、報知部により、第１スイッチが故障している旨を報知する。これにより、工場のスタッフ等は、第１スイッチが故障していることを理解することができる。
【００１８】
第７の発明の電子機器は、第６の発明の電子機器において、前記報知部は、表示部であり、前記制御部は、前記第１スイッチが故障していると判断した場合、前記表示部により、前記第１スイッチが故障している旨を表示することを特徴とする。
【００１９】
本発明では、制御部は、第１スイッチが故障していると判断した場合、表示部により、第１スイッチが故障している旨を表示する。これにより、工場のスタッフ等は、目視により、第１スイッチが故障していることを理解することができる。
【００２０】
第８の発明の電子機器は、第１〜第７のいずれかの発明の電子機器において、操作を受け付けるための操作部をさらに備え、前記制御部は、前記操作部を介して、故障診断モードの指示を受け付け、前記操作部を介して、前記故障診断モードの指示を受け付けた場合、前記第１スイッチが故障しているか否かを判断することを特徴とする。
【００２１】
第９の発明の電子機器は、第８の発明の電子機器において、前記制御部は、前記故障診断モードの指示を受け付けていないときに、前記ポートに入力される電圧が、所定の第２閾値よりも小さい場合、自機器が前記外部電源に接続されていないと判断することを特徴とする。
【００２２】
第１０の発明の電子機器は、第４又は第５の発明の電子機器において、前記制御部は、スタンバイ状態から電源がオンの状態になった場合に、前記制御回路により、前記分圧回路を有効とし、前記第１スイッチが故障しているか否かを判断することを特徴とする。
【００２３】
本発明では、制御部は、スタンバイ状態から電源がオンの状態になった場合に、制御回路により、分圧回路を有効とし、第１スイッチが故障しているか否かを判断する。これにより、負荷電流が低く、安定している状態において、ポートに入力される電圧が所定の第１閾値よりも小さいか否かを判断することができるため、高精度に第１スイッチの故障を判断することができる。
【００２４】
第１１の発明の電子機器は、第１〜第１０のいずれかの発明の電子機器において、前記第１スイッチ、及び、前記第２スイッチは、それぞれ、ＭＯＳＦＥＴであることを特徴とする。
【発明の効果】
【００２５】
本発明によれば、外部電源と二次電池との間に接続されたスイッチの故障を検出することができる。
【図面の簡単な説明】
【００２６】
【図１】本発明の実施形態に係るワイヤレススピーカーの構成を示すブロック図である。
【図２】マイクロコンピューター、充電制御ＩＣ、及び、それらの周辺回路を示す図である。
【図３】ＡＣアダプターの接続の有無、バッテリーの残量を検出するための閾値を示す図である。
【図４】分圧に対応した閾値を示す図である。
【図５】故障診断モード時に用いる閾値を示す図である。
【図６】分圧に対応した閾値を示す図である。
【図７】充電制御ＩＣ、及び、その周辺回路を示す図である。
【発明を実施するための形態】
【００２７】
以下、本発明の実施形態について説明する。図１は、本発明の実施形態に係るワイヤレススピーカーの構成を示すブロック図である。ワイヤレススピーカー１（電子機器）は、マイクロコンピューター２、表示部３、操作部４、無線通信部５、増幅部６、スピーカー７、バッテリー８、充電制御ＩＣ９、を備える。
【００２８】
マイクロコンピューター２（制御部）は、ワイヤレススピーカー１を構成する各部を制御する。表示部３（報知部）は、後述するＭＯＳトランジスタ（ＭＯＳＦＥＴ）が故障しているか否かを示すＬＥＤ、電源のオン／オフを表示するＬＥＤ等である。操作部４は、ユーザー操作を受け付けるためのものである。操作部４は、ワイヤレススピーカー１の筐体に設けられた、電源のオン／オフの操作を受け付けるための電源ボタン、音量の増減の操作を受け付けるための音量ボタン等である。
【００２９】
無線通信部５は、他の装置と無線通信を行うためのものである。マイクロコンピューター２は、無線通信部５により、音声信号を受信する。増幅部６は、無線通信部５により受信した音声信号を増幅する。増幅部６により増幅された音声信号は、スピーカー７に出力される。スピーカー７は、音声信号に基づいて、音声を再生する。バッテリー８（二次電池）は、ワイヤレススピーカー１を構成する各部に電源電圧を供給する。バッテリー８は、図示しないＡＣアダプターからの電圧により、充電される。充電制御ＩＣ９（充電制御部）は、バッテリー８の充放電を制御する。
【００３０】
図２は、マイクロコンピューター、充電制御ＩＣ、及び、それらの周辺回路を示す図である。図２に示すように、ワイヤレスピーカー１は、ＭＯＳトランジスタＱ１、Ｑ２等をさらに備える。ＭＯＳトランジスタＱ１（第１スイッチ）、ＭＯＳトランジスタＱ２（第２スイッチ）は、ＡＣアダプター（外部電源）とバッテリー８との間に接続されている。ＭＯＳトランジスタＱ１は、いわゆるＡＣＦＥＴである。ＭＯＳトランジスタＱ２は、いわゆるＲＢＦＥＴである。ＭＯＳトランジスタＱ１、Ｑ２の機能は、図７に示したＭＯＳトランジスタＱ１０１、Ｑ１０２と同様である。ＭＯＳトランジスタＱ１、Ｑ２は、ｎチャンネルのＭＯＳトランジスタである。
【００３１】
ＭＯＳトランジスタＱ１のゲートは、充電制御ＩＣ９のＡＣＤＲＶ端子に接続されている。ＭＯＳトランジスタＱ１のドレインは、ＡＣアダプター側に接続されている。ＭＯＳトランジスタＱ１のソースは、ＭＯＳトランジスタＱ２のソースに接続されている。ＭＯＳトランジスタＱ２のゲートは、充電制御ＩＣ９のＡＣＤＲＶ端子に接続されている。ＭＯＳトランジスタＱ２のドレインは、マイクロコンピューター２側に接続されている。ＭＯＳトランジスタＱ２のソースは、ＭＯＳトランジスタＱ１のソースに接続されている。充電制御ＩＣ９は、ＡＣＤＲＶ端子にドライブ電圧を与えることで、ＭＯＳトランジスタＱ１、Ｑ２をオンとする。
【００３２】
マイクロコンピューター２のＡ／Ｄポートには、ＡＣアダプターからの電圧Ｖ＋Ｂが入力される。また、ワイヤレススピーカー１にＡＣアダプターが接続されていない場合、マイクロコンピューター２のＡ／Ｄポートには、バッテリー８からの電圧Ｖ＋Ｂが入力される。具体的には、マイクロコンピューター２のＡ／Ｄポートには、抵抗Ｒ１、Ｒ２による分圧回路１０により分圧されたＡＣアダプター、及び、バッテリー８からの電圧が入力される。ワイヤレススピーカー１にＡＣアダプターが接続されている場合、Ｖ＋Ｂの電位は、１５Ｖである。ワイヤレススピーカー１にＡＣアダプターが接続されておらず、ワイヤレススピーカー１がバッテリー８により駆動される場合、Ｖ＋Ｂの電位は、９Ｖ〜１２．６Ｖであり、バッテリー８の残量に応じて変動する。
【００３３】
マイクロコンピューター２は、Ｖ＋Ｂに基づいて、ＡＣアダプターの接続の有無、バッテリー８の残量を検出する。図３は、ＡＣアダプターの接続の有無、バッテリー８の残量を検出するための閾値を示す図である。マイクロコンピューター２は、Ｖ＋Ｂが１３．５Ｖ（所定の第２閾値）以上である場合、ＡＣアダプターが接続されていると判断する（ＡＣアダプター接続）。マイクロコンピューター２は、Ｖ＋Ｂが１１Ｖ〜１２．６Ｖである場合、バッテリー駆動であり、バッテリー８の残量が十分であると判断する（バッテリー：高）。マイクロコンピューター２は、Ｖ＋Ｂが１０．１Ｖ〜１１Ｖである場合、バッテリー駆動であり、バッテリー８の残量が中程度であると判断する（バッテリー：中）。マイクロコンピューター２は、Ｖ＋Ｂが９．１Ｖ〜１０．１Ｖである場合、バッテリー駆動であり、バッテリー８の残量が少ないと判断する（バッテリー：低）。マイクロコンピューター２は、表示部３により、バッテリー８の残量を表示する。
【００３４】
マイクロコンピューター２は、Ｖ＋Ｂが９．１Ｖ以下である場合、バッテリー残量０と判断し、電源をオフする（オフ）。マイクロコンピューター２は、Ｖ＋Ｂが８．６Ｖ以下である場合、バッテリー８の過放電を防止するため、緊急シャットダウンする（プロテクト）。マイクロコンピューター２は、ＡＣアダプターが接続されている場合、バッテリー８の充電を行うと同時に、ＡＣアダプターからワイヤレススピーカー１を構成する各部に電力供給を行う。ここで、充電制御ＩＣ９は、ＡＣアダプターによる電力供給と、バッテリー８による電力供給と、の電源経路の切り替えを行う。
【００３５】
上述したように、マイクロコンピューター２のＡ／Ｄポートには、抵抗Ｒ１、Ｒ２により分圧されたＡＣアダプター、及び、バッテリー８からの電圧が入力される。従って、各閾値も、分圧に対応した値が用いられる。図４は、分圧に対応した閾値を示す図である。例えば、ＡＣアダプターが接続されているかを判断するためのＶ＋Ｂの閾値１３．５Ｖの分圧に対応した値は、２．７６Ｖである。２．７６Ｖに対応したＡ／Ｄ値は、２１３である。なお、例えば、抵抗Ｒ１の抵抗値が、３９ｋΩ、抵抗Ｒ２の抵抗値が、１０ｋΩであるとする。この場合、１３．５Ｖの分圧に対応した値は、１３．５×（Ｒ１）／（Ｒ１＋Ｒ２）＝１３．５×１０／４９≒２．７６となる。マイクロコンピューター２は、所定の間隔で、所定の回数、Ｖ＋Ｂが所定の閾値の範囲内であるか否かを検出する。例えば、ＡＣアダプターが接続されているか否かを判断する場合、マイクロコンピューター２は、１０ｍｓ間隔で、６回、Ｖ＋Ｂが１３．５Ｖ以上であるか否かを検出する。検出時間は、最大で６０ｍｓ、最小で５０ｍｓである。
【００３６】
ワイヤレススピーカー１は、通常、図３、及び、図４に示した閾値に基づいて、ＡＣアダプターの接続の有無、バッテリー８の残量を検出する。また、ワイヤレススピーカー１は、ＭＯＳトランジスタＱ１の故障診断モードを有する。マイクロコンピューター２は、操作部４を介して、故障診断モードの指示を受け付ける。マイクロコンピューター２は、操作部４の所定のボタンが二重押しされた場合、故障診断モードの指示を受け付ける。マイクロコンピューター２は、故障診断モードの指示を受け付けた場合、ＭＯＳトランジスタＱ１が故障しているか否かを判断する。
【００３７】
図５は、故障診断モード時に用いる閾値を示す図である。図５に示すように、マイクロコンピューター２は、Ｖ＋Ｂが１４．７Ｖ（所定の第１閾値）より小さい場合、ＭＯＳトランジスタＱ１が故障していると判断する。マイクロコンピューター２は、ＭＯＳトランジスタＱ１が故障していると判断した場合、ＭＯＳトランジスタＱ１が故障している旨を報知する。具体的には、マイクロコンピューター２は、表示部３のＬＥＤを点灯することにより、ＭＯＳトランジスタＱ１が故障している旨を報知する。マイクロコンピューター２は、Ｖ＋Ｂが１４．７Ｖ以上である場合、ＭＯＳトランジスタＱ１が故障していないと判断する。
【００３８】
図６は、分圧に対応した閾値を示す図である。例えば、ＭＯＳトランジスタＱ１が故障しているか否かを判断するためのＶ＋Ｂの閾値１４．７Ｖの分圧に対応した値は、３．００Ｖである。３．００Ｖに対応したＡ／Ｄ値は、２３２である。マイクロコンピューター２は、１０ｍｓ間隔で、６回、Ｖ＋Ｂが１４．７Ｖ以上であるか否かを検出する。検出時間は、最大で６０ｍｓ、最小で５０ｍｓである。
【００３９】
ワイヤレススピーカー１は、分圧回路１０の有効、又は、無効を制御する制御回路１１をさらに備える。制御回路１１は、バイポーラトランジスタＱ３、ＭＯＳトランジスタＱ４（ＭＯＳＦＥＴ）を有する。バイポーラトランジスタＱ３は、ｎｐｎ型のバイポーラトランジスタである。バイポーラトランジスタＱ３のベースは、抵抗Ｒ４を介して、マイクロコンピューター２に接続されている。バイポーラトランジスタＱ４のエミッタは、グラウンドに接続されている。バイポーラトランジスタＱ３のコレクタは、抵抗Ｒ３を介して、Ｖ＋Ｂに接続されている。バイポーラトランジスタＱ３のベースとエミッタとには、抵抗Ｒ５が接続されている。
【００４０】
ＭＯＳトランジスタＱ４は、ｐチャンネルのＭＯＳトランジスタである。ＭＯＳトランジスタＱ４のゲートは、バイポーラトランジスタＱ３のコレクタに接続されている。ＭＯＳトランジスタＱ４のソースは、Ｖ＋Ｂに接続されている。ＭＯＳトランジスタＱ４のドレインは、分圧回路１０に接続されている。
【００４１】
マイクロコンピューター２は、スタンバイ状態で、制御回路１１により、分圧回路１０を無効とする。具体的には、マイクロコンピューター２は、バイポーラトランジスタＱ３のベースをローとする。バイポーラトランジスタＱ３は、オフの状態となる。バイポーラトランジスタＱ３がオフの状態となると、ＭＯＳトランジスタＱ４において、ゲート−ソース間の電位差がなくなる。ＭＯＳトランジスタＱ４は、ゲート−ソース間の電位差がなくなると、オフの状態となる。これにより、分圧回路１０は、無効となる。
【００４２】
マイクロコンピューター２は、分圧回路１０を有効とする場合、バイポーラトランジスタＱ３のベースをハイとする。バイポーラトランジスタＱ４は、オンの状態となる。バイポーラトランジスタＱ３がオンの状態となると、ＭＯＳトランジスタＱ４において、ゲート−ソース間に電位差が生じる。ＭＯＳトランジスタＱ４は、ゲート−ソース間に電位差が生じると、オンの状態となる。これにより、分圧回路１０は、有効となる。
【００４３】
以上説明したように、本実施形態では、ＭＯＳトランジスタＱ１が故障している場合、ＭＯＳトランジスタＱ１が中途半端にオンし、マイクロコンピューター２のＡ／Ｄポートに入力される電圧が、１４．７Ｖ（所定の第１閾値）よりも小さくなる（例えば、約１４．５Ｖ）。マイクロコンピューター２は、充電制御ＩＣ９が、ＭＯＳトランジスタＱ１、Ｑ２をオンとしたときに、Ａ／Ｄポートに入力される電圧Ｖ＋Ｂが１４．７Ｖよりも小さい場合、ＭＯＳトランジスタＱ１が故障していると判断する。これにより、ＡＣアダプターとバッテリー８との間に接続されたＭＯＳトランジスタＱ１の故障を検出することができる。
【００４４】
また、本実施形態では、マイクロコンピューター２は、ワイヤレススピーカー１がＡＣアダプターに接続されていない場合、バッテリー８から入力される電圧Ｖ＋Ｂの電位に基づいて、バッテリー８の残量を検出する。これにより、ＭＯＳトランジスタＱ１の故障検出と、バッテリー８の残量検出と、を同じ構成で実現することができる。
【００４５】
また、本実施形態では、マイクロコンピューター２のＡ／Ｄポートには、抵抗Ｒ１、Ｒ２により分圧されたＡＣアダプター、及び、バッテリー８からの電圧Ｖ＋Ｂが入力される。これにより、ＡＣアダプター、及び、バッテリー８からの電圧Ｖ＋Ｂが、マイクロコンピューター２が扱えない大きさであっても、マイクロコンピューター２は、残量検出等を行うことができる。
【００４６】
また、本実施形態では、マイクロコンピューター２は、ＭＯＳトランジスタＱ１が故障していると判断した場合、表示部３により、ＭＯＳトランジスタＱ１が故障している旨を表示する。これにより、工場のスタッフ等は、目視により、ＭＯＳトランジスタＱ１が故障していることを理解することができる。
【００４７】
また、本実施形態では、マイクロコンピューター２は、スタンバイ状態で、制御回路１１により、分圧回路１０を無効とする。これにより、スタンバイ時のバッテリー負荷電流を低減させることができるため、倉庫、店舗等で長期保管される場合の負荷電流が抑えられ、バッテリー８の過放電を防止することができる。
【００４８】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００４９】
上述の実施形態においては、マイクロコンピューター２は、故障診断モード時に、ＭＯＳトランジスタＱ１が故障しているか否かを判断する。これは、ＭＯＳトランジスタＱ１故障時の電圧の低下が比較的微小なため、正常動作時に、大音量で音楽再生した場合の電圧降下との判別が困難だからである。通常動作時も常時、故障検出を有効とすると、誤判別してしまう可能性がある。
【００５０】
変形例では、マイクロコンピューター２は、スタンバイ状態から電源がオンになった場合に、ＭＯＳトランジスタＱ１が故障しているか否かを判断する。まず、マイクロコンピューター２は、他の回路等よりも先に、バイポーラトランジスタＱ３のベースをハイとし、制御回路１１、分圧回路１０を有効にする。この状況において、マイクロコンピューター２は、ＭＯＳトランジスタＱ１が故障しているか否かを判断する。マイクロコンピューター２は、ＭＯＳトランジスタＱ１が故障していると判断した場合、表示部３により、ＭＯＳトランジスタＱ１が故障している旨を表示する。マイクロコンピューター２は、ＭＯＳトランジスタＱ１が故障していないと判断した場合、通常どおり、ワイヤレススピーカー１を起動する。これにより、工場出荷時以降に生じた故障に対しても検出が可能となる。
【００５１】
マイクロコンピューター２は、他の回路等よりも先に、制御回路１１、分圧回路１０を有効にした状況、すなわち、負荷電流が低い安定している状況で、マイクロコンピューター２のＡ／Ｄポートに入力される電圧が、１４．７Ｖ（所定の第１閾値）よりも小さいか否かを判断する。このため、Ｖ＋Ｂの電圧が負荷変動により変動することがないため、高精度に故障を検出することができる。
【００５２】
上述の実施形態においては、マイクロコンピューター２は、表示部３により、ＭＯＳトランジスタＱ１が故障している旨を表示する。これに限らず、マイクロコンピューター２は、音声により、ＭＯＳトランジスタＱ１が故障している旨を報知するようになっていてもよい。
【００５３】
上述の実施形態においては、バッテリーを備える電子機器として、ワイヤレススピーカーを例示した。これに限らず、ノートＰＣ、タブレット等であってもよい。
【産業上の利用可能性】
【００５４】
本発明は、二次電池が用いられる電子機器に好適に採用され得る。
【符号の説明】
【００５５】
１  ワイヤレススピーカー（電子機器）
２  マイクロコンピューター（制御部）
３  表示部（報知部）
４  操作部
５  無線通信部
６  増幅部
７  スピーカー
８  バッテリー（二次電池）
９  充電制御ＩＣ（充電制御部）
１０  分圧回路
１１  制御回路
Ｑ１  ＭＯＳトランジスタ（第１スイッチ）
Ｑ２  ＭＯＳトランジスタ（第２スイッチ）
Ｑ３  バイポーラトランジスタ
Ｑ４  ＭＯＳトランジスタ
Ｒ１〜Ｒ５  抵抗
【図１】
2018064350.tif 000003
【図２】
2018064350.tif 000004
【図３】
2018064350.tif 000005
【図４】
2018064350.tif 000006
【図５】
2018064350.tif 000007
【図６】
2018064350.tif 000008
【図７】
2018064350.tif 000009